(57)【要約】【課題】切替を繰り返し行う場合に当初選局した放送番組の内容に沿った番組の受信が可能な「放送受信装置」の提供。【解決手段】代替放送番組情報を伴う放送番組を受信する受信部と、放送番組の内容と同一の同一放送番組に切替る第１リンク切替と、放送番組の内容と関連する関連放送番組に切替る第２リンク切替する切替操作手段と、受信状況を測定する受信状況測定部と、受信状況が所定の受信状況であるか否かを判定する受信状況判定手段と、所定の受信状況でないとの判定がされたときに、第１リンク切替の操作をさせ、第１リンク切替が不可能なときは第２リンク切替の操作をさせる切替操作指示手段と、を有する放送受信装置であって、２回目以降の第２リンク切替の操作をさせる際は、１回目の第２リンク切替の切替前の放送番組又は１回目の第２リンク切替の操作の対象となる放送番組の放送受信への切替操作をする。【選択図】図２
2018056632.tif 000002
【特許請求の範囲】
【請求項１】
代替放送番組情報を伴う放送番組の放送信号を受信する受信部と、
該受信部に、前記放送信号による放送番組の内容と同一の同一放送番組の放送信号の受信に切替る第１リンク切替と、前記放送信号による放送番組の内容と関連する関連放送番組の受信に切替る第２リンク切替とを操作する切替操作手段と、
受信する前記放送信号の受信状況を測定する受信状況測定部と、
該受信状況測定部が測定した前記受信状況が所定の受信状況であるか否かを判定する受信状況判定手段と、
該受信状況判定手段により所定の受信状況でないとの判定がされたときに、前記代替放送番組情報に基づいて前記同一放送番組の放送信号が受信可能なときは前記切替操作手段に前記第１リンク切替の操作をさせ、前記同一放送番組の放送信号が受信不可能なときは前記切替操作手段に対して前記第２リンク切替の操作をさせる切替操作指示手段と、
を有する放送受信装置であって、
前記切替操作指示手段は、２回目以降の第２リンク切替の操作をさせる際は、１回目の第２リンク切替の切替前の放送番組又は１回目の第２リンク切替の操作の対象となる放送番組の放送受信への切替操作をさせる放送受信装置。
【請求項２】
前記切替操作指示手段は、第１リンク切替の操作をさせた後は、前記第１リンク切替の操作後の第２リンク切替を、前記１回目の第２リンク切替とする請求項１に記載の放送受信装置。
【請求項３】
前記代替放送番組情報は、前記同一放送番組への切替操作情報と、前記関連放送番組への切替操作情報とを含む請求項１に記載の放送受信装置。
【請求項４】
前記受信状況測定部が測定する前記放送信号の受信状況は、少なくとも前記放送信号の放送受信強度及び前記放送信号の放送受信品質の何れかである請求項１乃至３のいずれかに記載の放送受信装置。
【請求項５】
前記切替判定手段は、前記放送信号の少なくとも前記放送信号の放送受信強度及び前記放送信号の放送受信品質の何れかが予め設定した所定値以下のときに、前記所定の受信状況でないとの判定を行う請求項４に記載の放送受信装置。
【請求項６】
前記切替操作指示手段は、受信した前記代替放送番組情報に基づいて受信可能な同一放送番組情報及び関連放送番組情報のデータを作成して記憶部に記憶させる請求項１乃至５のいずれかに記載の放送受信装置。
【請求項７】
代替放送番組情報を伴う放送番組の放送信号を受信する受信ステップと、
前記放送信号による放送番組の内容と同一の同一放送番組の放送信号の受信に切替る第１リンク切替と、前記放送信号による放送番組の内容と関連する関連放送番組の受信に切替る第２リンク切替とを受信部に操作する切替操作ステップと、
受信する前記放送信号の受信状況を測定する受信状況測定ステップと、
測定した前記受信状況が所定の受信状況であるか否かを判定する受信状況判定ステップと、
該受信状況判定ステップにより所定の受信状況でないとの判定がされたときに、
前記代替放送番組情報に基づいて前記同一放送番組の放送信号が受信可能なときは前記切替操作手段に前記第１リンク切替の操作をさせ、前記同一放送番組の放送信号が受信不可能なときは前記切替操作手段に対して前記第２リンク切替の操作をさせる切替操作指示ステップと、
を有する放送受信方法であって、
前記切替操作指示ステップは、２回目以降の第２リンク切替の操作をさせる際は、１回目の第２リンク切替の切替前の放送番組又は１回目の第２リンク切替の操作の対象となる放送番組の放送受信への切替操作をさせる放送受信方法。
【発明の詳細な説明】
【技術分野】
【０００１】
本発明は、代替放送番組情報を伴う放送番組の切替を行う放送受信装置及び放送受信方法に関する。
【背景技術】
【０００２】
欧州のデジタル放送ＤＡＢ（Ｄｅｇｉｔａｌ  Ａｕｄｉｏ  Ｂｒｏａｄｃａｓｔ）には、受信状態が悪くなると放送内容が同一又は関連する代替局へ切替るサービスフォローイングというリンク機能が設けられている。サービスフォローイングには、番組内容が同一である代替局へ切替るハードリンク（Ｈａｒｄ  ｌｉｎｋ）切替と、番組内容が関連する又は共通する部分がある代替局へ切替るソフトリンク（Ｓｏｆｔ  ｌｉｎｋ）切替がある。
【０００３】
このようなサービスフォローイングをより進めたデジタルオーディオ放送受信装置が提案されている（例えば、特許文献１参照）。この特許文献１に記載される受信装置では、現在受信中のＤＡＢによるデジタル放送の受信状態が悪化したときに、ＤＡＢ−ＤＡＢリンク機能を利用して、あるいはＤＡＢ−ＦＭリンク機能を利用して、同一内容で受信状態の良好なＤＡＢの放送、さらにはＦＭ放送の番組を受信することができ、継続した放送番組の受信が可能となる。
【先行技術文献】
【特許文献】
【０００４】
【特許文献１】特開２０００−２２４０６４号公報
【発明の概要】
【発明が解決しようとする課題】
【０００５】
ところで、上記したハードリンクによる切替は、番組内容が同一の放送番組への切替であるのに対して、ソフトリンクでは番組内容が関連する部分のある放送番組への切替であるから、例えば、走行する車両等である移動体で受信しているときに、受信状態の悪化によりソフトリンクを繰り返し行うと、当初の放送番組とかけ離れた内容の番組となることがある。
【０００６】
図５に示すように、番組Ａ（ニュース）を聴くために所定の放送局を選局して受信したところ、度重なる受信状態の悪化によりソフトリンク切替を繰り返すと、番組Ａと関連する番組Ｂ（スポーツニュース）に切替られ、さらに番組Ｂの受信状態の悪化により番組Ｂと関連する番組Ｃ（スポーツ中継）、番組Ｃと関連する番組Ｄ（モータースポーツ中継）、番組Ｄと関連する番組Ｅ（自慢の愛車紹介）へと受信状態の悪化の度に切替られて、当初の番組Ａとは全く内容の異なる放送番組の受信となってしまう。特許文献１による受信装置を含む従来の受信装置では、上記したソフトリンク切替の繰り返しによる、当初の放送番組とかけ離れた内容の放送番組となることの防止を図ることができない。
【０００７】
本発明は、ソフトリンク切替を繰り返し行う場合でも、当初選局した放送番組の内容に沿った放送番組の受信が可能な放送受信装置及び放送受信方法の提供を目的とする。
【課題を解決するための手段】
【０００８】
上記課題を解決するために、本発明に係る放送受信装置は、代替放送番組情報を伴う放送番組の放送信号を受信する受信部と、該受信部に、前記放送信号による放送番組の内容と同一の同一放送番組の放送信号の受信に切替る第１リンク切替と、前記放送信号による放送番組の内容と関連する関連放送番組の受信に切替る第２リンク切替とを操作する切替操作手段と、受信する前記放送信号の受信状況を測定する受信状況測定部と、該受信状況測定部が測定した前記受信状況が所定の受信状況であるか否かを判定する受信状況判定手段と、該受信状況判定手段により所定の受信状況でないとの判定がされたときに、前記代替放送番組情報に基づいて前記同一放送番組の放送信号が受信可能なときは前記切替操作手段に前記第１リンク切替の操作をさせ、前記同一放送番組の放送信号が受信不可能なときは前記切替操作手段に対して前記第２リンク切替の操作をさせる切替操作指示手段と、を有する放送受信装置であって、前記切替操作指示手段は、２回目以降の第２リンク切替の操作をさせる際は、１回目の第２リンク切替の切替前の放送番組又は１回目の第２リンク切替の操作の対象となる放送番組の放送受信への切替操作をさせる構成である。
【０００９】
このような構成によれば、放送番組の受信状況が繰り返し悪化して、第２リンク切替（ソフトリンク切替に相当）を複数回行った場合でも、１回目の第２リンク切替の切替前の放送番組又は１回目の第２リンク切替の操作の対象となる放送番組の放送受信への切替操作をさせるので、当初聴いていた放送番組とは無関係な放送番組の受信となることを防止することができる。
【００１０】
本発明に係る放送受信装置において、前記切替操作指示手段は、第１リンク切替（ハードリンク切替に相当）の操作をさせた後は、前記第１リンク切替の操作後の第２リンク切替を、前記１回目の第２リンク切替とする構成とすることができる。
【００１１】
このような構成によれば、受信していた放送番組と同一放送番組に切替る第１リンク切替を行った後は、前記第１リンク切替の操作後の第２リンク切替を、１回目の第２リンク切替とするので、切替対象となる放送番組（同一放送番組及び関連放送番組）の情報を最新のものにリセットすることができる。
【００１２】
本発明に係る放送受信装置において、前記代替放送番組情報は、前記同一放送番組への切替操作情報と、前記関連放送番組への切替操作情報とを含む構成とすることができる。
【００１３】
このような構成によれば、代替放送番組情報に、同一放送番組への切替操作情報と、関連放送番組への切替操作情報を含むので、受信中の放送番組の受信状況が悪化したときに、受信の切替を迅速に行うことができる。切替操作情報には、切替受信に必要な同一放送番組、関連放送番組の周波数等の情報が含まれている。
【００１４】
本発明に係る放送受信装置において、前記受信状況測定部が測定する前記放送信号の受信状況は、少なくとも前記放送信号の放送受信強度及び前記放送信号の放送受信品質の何れかである構成とすることができる。
【００１５】
このような構成によれば、放送番組の受信状況の適否を客観的に把握することができる。放送受信強度、放送受信品質（例えば、Ｃ／Ｎ値）のいずれか一方でも、又は双方を用いることができる。
【００１６】
本発明に係る放送受信装置において、前記切替判定手段は、前記放送信号の少なくとも前記放送信号の放送受信強度及び前記放送信号の放送受信品質の何れかが予め設定した所定値以下のときに、前記所定の受信状況でないとの判定を行う構成とすることができる。
【００１７】
このような構成によれば、受信強度等が予め設定した所定値以下となったときに、所定の受信状況でないと判定でき、迅速な受信切替が可能となる。所定値の設定は受信環境等により適宜変更することができる。
【００１８】
本発明に係る放送受信装置において、前記切替操作指示手段は、受信した前記代替放送番組情報に基づいて受信可能な同一放送番組情報及び関連放送番組情報のデータを作成して記憶部に記憶させる構成とすることができる。
【００１９】
このような構成によれば、放送番組の受信により、代替放送番組情報に基づいて受信可能な同一放送番組情報及び関連放送番組情報のデータを作成するので、適切な放送番組の受信の切替が可能となる。
【００２０】
本発明に係る放送受信方法は、代替放送番組情報を伴う放送番組の放送信号を受信する受信ステップと、前記放送信号による放送番組の内容と同一の同一放送番組の放送信号の受信に切替る第１リンク切替と、前記放送信号による放送番組の内容と関連する関連放送番組の受信に切替る第２リンク切替とを受信部に操作する切替操作ステップと、受信する前記放送信号の受信状況を測定する受信状況測定ステップと、測定した前記受信状況が所定の受信状況であるか否かを判定する受信状況判定ステップと、該受信状況判定ステップにより所定の受信状況でないとの判定がされたときに、前記代替放送番組情報に基づいて前記同一放送番組の放送信号が受信可能なときは前記切替操作手段に前記第１リンク切替の操作をさせ、前記同一放送番組の放送信号が受信不可能なときは前記切替操作手段に対して前記第２リンク切替の操作をさせる切替操作指示ステップと、を有する放送受信方法であって、前記切替操作指示ステップは、２回目以降の第２リンク切替の操作をさせる際は、１回目の第２リンク切替の切替前の放送番組又は１回目の第２リンク切替の操作の対象となる放送番組の放送受信への切替操作をさせる構成となる。
【発明の効果】
【００２１】
本発明によれば、放送番組の受信状況が繰り返し悪化して、第２リンク切替を複数回行った場合でも、１回目の第２リンク切替の切替前の放送番組又は１回目の第２リンク切替の操作の対象となる放送番組の放送受信への切替操作をさせるので、当初聴いていた放送番組とは無関係な放送番組の受信となることを防止することができる。
【図面の簡単な説明】
【００２２】
【図１】本発明の実施の形態に係る放送受信装置の構成を示すブロック図である。
【図２】本発明の実施の形態に係る放送受信装置の制御ユニットによる制御手順を示すフローチャートである。
【図３】本発明の実施の形態に係るリンクインフォメーションの階級構造の概略図である。
【図４】本発明の実施の形態に係る放送受信装置の制御ユニットによるソフトリンク切替（第２リンク切替）の概略図である。
【図５】従来の放送受信装置によるソフトリンク切替の概略説明図である。
【発明を実施するための形態】
【００２３】
本発明の実施の形態について図面を用いて説明する。
【００２４】
本発明の実施形態に係る放送受信装置は、図１に示すように構成される。
【００２５】
図１において、放送受信装置１１は、デジタル放送ＤＡＢによる放送番組の放送信号の電波をアンテナ１３により受信する受信部１５と、受信した放送信号を電気信号に復調する復調部１６と、復調した電気信号を所定の音声（音声信号）としてスピーカ１８から出力させる出力部１７を有する。更に、受信した放送信号の受信状況を測定する測定部２０と、タッチパネル、操作釦等からなる操作部２２と、制御等の所定のプログラムや後述する代替放送番組情報等を記憶する記憶部２１（例えば、ハードディスク、フラッシュメモリ等）と、これらに接続してその動作を制御するコンピュータユニット（例えば、ＣＰＵ、ＲＯＭＲＡＭ、Ｉ／Ｏインターフェース、バス等）によって構成される制御ユニット１２を有する。
【００２６】
上記した受信部１５は、チューナ及びＡ／Ｄ変換回路等、復調部１６は復調回路等、出力部１７は増幅回路及びＤ／Ａ変換回路等、測定部２０は放送受信強度計測装置、放送信号品質計測装置等で構成されている。
【００２７】
上記構成による放送受信装置１１では、図２に示すような手順にて制御がなされる。ユーザーが所望の放送番組のリスニングを行うために、当該放送番組を放送する放送局を選局すると、制御ユニット１２は、受信部１５、復調部１６、出力部１７を介してスピーカ１８から音声出力すると共に、併せて受信した当該放送番組の代替放送番組情報から受信可能局（受信可能番組）ロスト及び該受信可能局へのリンク切替を行うためのリンク情報のデータベース（以下、適宜「ＤＢ」とする）を作成する（Ｓ１１）。上述したように、代替放送番組情報には、選局した放送番組と同一内容の同一放送番組と関連する内容の関連放送番組を放送する放送局の周波数等が含まれる。
【００２８】
ＤＡＢ放送では、放送番組の代替放送番組情報としてサービスリンクインフォメーションの情報がＦＩＧ（Ｆｉｒｓｔ  ｉｎｆｏｒｍａｔｉｏｎ  ｇｒｏｕｐ）Ｔｙｐｅ０  Ｅｘｔｅｎｓｉｏｎ６に格納されている。そのデータ構造の概要について図３を参照して説明する。図３において、ＦＩＧ  Ｔｙｐｅ０  Ｅｘｔｅｎｓｉｏｎ６は、主として上下３段のデータ構造を有する。上段３１の左から「０００」はＴｙｐｅ１を示すデータで、例えばＴｙｐｅ２の場合「０１０」となる。次に「Ｌｅｎｇｔｈ」はＤａｔａ  ｆｉｅｌｄのデータ長を示す。次の「ＦＩＧ  ｄａｔａ  ｆｉｅｌｄ」にサービスリンクインフォメーションの情報が格納されており、中段３２のリンク情報１、リンク情報２、・・・リンク情報Ｘが含まれている。各リンク情報、例えばリンク情報１には、下段３３に示す各情報が含まれている。
【００２９】
下段３３の左端「Ｉｄ  ｌｉｓｔ  ｆｌａｇ」はＩｄリストが含まれているか否かの情報が格納されており、「０」がＩｄリスト無し、「１」Ｉｄリスト有りを示す。次の「ＬＡ」はＬＡ（Ｌｉｎｋａｇｅ  Ａｃｔｕａｔｏｒ）リンクがアクティブか否かを示す情報が格納されており、「０」が将来有効になる、又は無効を示し、「１」がａｃｔｉｖｅ  ｌｉｎｋであることを示す。次の「Ｓ／Ｈ」は、リンク情報１がソフトリンク（関連放送番組切替）であるか又はハードリンク（同一放送番組切替）であるかを示す情報が格納されており、「０」がＳｏｆｔ  ｌｉｎｋを示し、「１」がＨａｒｄ  ｌｉｎｋを示す。次の「ＩＬＳ」はＩＬＳ（Ｉｎｔｅｒｎａｔｉｏｎａｌ  ｌｉｎｋａｇｅ  ｓｅｔ  ｉｎｄｉｃａｔｏｒ）で、「０」が国内ｌｉｎｋで「１」が国際ｌｉｎｋを示す。次の「ＬＳＮ」は、ＬＳＮ（Ｌｉｎｋａｇｅ  Ｓｅｔ  Ｎｕｍｂｅｒ）を意味し、共通のサービスは同じ番号が使用される。次の「Ｉｄ  ｌｉｓｔ  ｕｓａｇｅ」はリンク対象サービス利用のＩＤリストであり、「Ｎｕｍｂｅｒ  ｏｆ  ｉｄｓ」はＩＤの数、「Ｉｄ  ｌｉｓｔ」はリンク対象サービスのＩＤリストを示すものである。これらの情報を基にして、リスニングしている放送番組の受信可能な代替放送番組（同一放送番組、関連放送番組）となる代替局の周波数、サービスＩＤ等を検索して、上記したＳ１１のリスト及びデータベースを作成する。
【００３０】
制御ユニット１２は、リスニング中の放送番組の受信状態が悪化したか否か、すなわち、少なくとも放送受信強度及び前記放送信号の放送受信品質の何れかが予め設定した所定値以下となったか否かを判定する（Ｓ１２：受信状況判定手段）。なお、受信状況測定部である測定部２０が受信した放送信号の放送受信強度、放送受信品質を測定する。制御ユニット１２は、上記所定値以下でないと判定したときは（Ｓ１２のＮＯ）、受信状態が悪化していないので、継続して放送番組の出力を継続し、再度放送番組の受信状態が悪化したか否かを判定する。制御ユニット１２は、上記所定値以下であると判定したときは（Ｓ１２のＹＥＳ）、受信状態が悪化したので、同一放送番組への切替、すなわちハードリンク切替（第１リンク切替）を行うハードリンク先が有るか否かを、記憶部２１に記憶された代替放送番組情報から作成されたリスト等のデータベースから判定する（Ｓ１３）。関連放送番組への切替であるソフトリンク切替（第２リンク切替）よりも、同一放送番組への切替であるハードリンク切替が優先される。
【００３１】
制御ユニット１２は、ハードリンク先があるときは（Ｓ１３のＹＥＳ）、受信部１５での受信をハードリンク先の放送局の周波数に同調させて同一放送番組に切替、受信する（Ｓ１８：切替操作手段、切替操作指示手段）。これにより、ユーザーは、放送番組の受信状況が悪化したときでも、同一放送番組に切替られるので、継続して同じ内容の放送番組をリスニングすることができる。
【００３２】
制御ユニット１２は、ハードリンク先がないときは（Ｓ１３のＮＯ）、記憶部２１に記憶されたソフトリンク先が最初のソフトリンク切替（既にハードリンク切替があったときは、ハードリンク切替後の最初のソフトリンク切替）であるか否かを判定する（Ｓ１４）。ソフトリンク切替が既になされているときは、最初のソフトリンク切替とはならない。制御ユニット１２は、最初のソフトリンク切替であると判定したときには（Ｓ１４のＹＥＳ）、受信している放送番組が伴った代替放送番組情報から作成した受信可能（番組）リスト及びリンク情報ＤＢからソフトリンク先を参照する（Ｓ１５）。制御ユニット１２は、最初のソフトリンク切替でないと判定したときは（Ｓ１４のＮＯ）、最初のソフトリンクの際のソフトリンク先を参照する（Ｓ１６）。制御ユニット１２は、最初のソフトリンク切替の際の受信可能なソフトリンク先が有るか否かを判定し（Ｓ１７）、ソフトリンク先が有りと判定したときは（Ｓ１７のＹＥＳ）、後述する手順により決定されるソフトリンク先に切替て、放送番組を受信する（Ｓ１９：切替操作手段、切替操作指示手段）。なお、最初のソフトリンク切替か否かの判定では、既にハードリンク切替があったときは、当該ハードリンク切替後の最初のソフトリンク切替であるか否かを判定する。
受信していた放送番組と同一放送番組に切替るハードリンク切替を行った後は、その前にソフトリンク切替があったとしても、ハードリンク切替後のソフトリンク切替を最初のソフトリンク切替とするものである。ハードリンク切替は同一放送番組に切替るので、同一放送番組のソフトリンク先にリセットして最新のものとするためである。
【００３３】
上記した最初のソフトリンク先を参照する点について、図４を参照して説明する。番組Ａ（ニュース）をリスニングするために、ユーザーが番組Ａ（ニュース）の放送局に選局する。番組Ａのリスニング中に、受信状況が悪化したが、制御ユニット１２はハードリンク先（同一放送番組）が記憶部２１に記憶されていないので、ソフトリンク先を参照する。番組Ａのソフトリンク先（関連放送番組）として、番組Ｂ（スポーツニュース）及び番組Ｆ（フラッシュニュース）が記憶されているので、番組Ｂの優先度が番組Ｆより高いときは、制御ユニット１２は切替の優先度が高い番組Ｂの受信に切替る。なお、番組Ｂと番組Ｆがソフトリンク先として記憶されているときに、リンクの優先度が記憶されているときは優先後の高い方に切替をし、優先度が記憶されていないときは受信状況等の良い方に切替をする。切替先の番組Ｂ（スポーツニュース）をリスニング中に受信状況が再度悪化したが、制御ユニット１２はハードリンク先が記憶されていないので、ソフトリンク先を参照する。このとき、番組Ｂ（スポーツニュース）のソフトリンク先として番組Ａ（ニュース）及び番組Ｄ（モータースポーツ中継）が記憶されているが、制御ユニット１２は、番組Ｂからのソフトリンクが二度目のソフトリンクであるから（最初のソフトリンクでないから）、最初のソフトリンクのリンク先である番組Ｂ及び番組Ｆ、更には最初にリスニングしていた番組Ａのいずれかにソフトリンク切替を行うものとする。しかし、番組Ｂは現在受信状況が悪化したものであるから、ソフトリンク先として元の番組Ａ及び番組Ｆが切替候補となる。このとき、受信状況の良い方へ優先的に切替るので、番組Ａに戻ることもある。また、番組Ａの受信状況が回復していないときは番組Ｆへ切替ることになる。
【００３４】
上記したように、ユーザーの選局により番組Ａをリスニング中に番組Ａの受信状況悪化のため、番組Ｂに切替られたとき、今度は番組Ｂの受信状況が悪化したとしても、番組Ｂのソフトリンク先として記憶された番組Ｄ（モータースポーツ中継）への切替はなされないので、番組内容がユーザーの選局による番組Ａと関連性の低い番組への切替を防止することができる
【００３５】
制御ユニット１２は、ソフトリンク先が無いときは（Ｓ１７のＮＯ）、受信状況が悪化した現放送番組を継続して受信し、受信状況の回復を待つことになる（Ｓ２０）。上記したように、受信状況の悪化によりハードリンク切替、ソフトリンク切替、又は現放送番組の継続受信のいずれかとなったときに、制御ユニット１２は、切替後（継続後）の受信している放送番組の受信終了の操作が操作部２２によりなされたか否かを判定し、終了操作がなされたときは（Ｓ２１のＹＥＳ）、受信を終了し、終了操作が無いときは、継続して受信する。そして繰り返し、受信中の放送番組の代替放送番組情報から受信可能リスト及びリンク情報ＤＢを作成し（Ｓ１１）、受信状況が悪化したか否かの判定を行い、悪化したときは上述したように、切替等を行う（Ｓ１２〜Ｓ２０）。
【００３６】
上述したように、本実施形態によれば、ソフトリンク切替を複数回繰り返しても、２度目以降のソフトリンクは、最初のソフトリンクのリンク情報を参照するので、当初選局による放送番組の内容とは無関係な放送番組の受信となることを防止することができる。なお、上記した切替の対象となる放送番組はラジオ放送番組に限らずテレビ放送番組にも適用することができる。
【産業上の利用可能性】
【００３７】
以上、説明したように、本発明に係る放送受信装置及び放送受信方法によれば、放送番組の受信状況が繰り返し悪化して、関連する放送番組への切替であるソフトリンク（第２リンク切替）を複数回行った場合でも、１回目のソフトリンク切替の切替前の放送番組又は１回目のソフトリンク切替の操作の対象となる放送番組の放送受信への切替操作をさせるので、当初聴いていた放送番組とは無関係な放送番組の受信となることを防止することができるという効果を奏するので、代替放送番組情報を伴う放送番組の切替を行う放送受信装置及び放送受信方法として有用である。
【符号の説明】
【００３８】
１１    放送受信装置
１２    制御ユニット
１３    アンテナ
１５    受信部
１６    復調部
１７    出力部
１８    スピーカ
２０    測定部
２１    記憶部
２２    操作部
【図１】
2018056632.tif 000003
【図２】
2018056632.tif 000004
【図３】
2018056632.tif 000005
【図４】
2018056632.tif 000006
【図５】
2018056632.tif 000007